(57)【要約】【課題】物理的なスイッチを備えることなく入力を受け付けることができる。【解決手段】心拍検出回路１２４は、電極１２１と電極１２２との間に生じる電位差に基づいて、生体情報を検出する。制御部１２５は、電極１２１と電極１２２との間に生じる電位差に基づいて所定の処理を実行する。【選択図】図１
2015208478.tif 000002
【特許請求の範囲】
【請求項１】
一対の電極の間に生じる電位差に基づいて、生体情報を検出する生体情報検出部と、
前記一対の電極の間に生じる電位差に基づいて所定の処理を実行する実行部と、
を備えることを特徴とする生体情報計測装置。
【請求項２】
電源部を備え、
前記実行部は、前記一対の電極の間に生じる電位差に基づいて前記電源部の電圧を検出して出力する
ことを特徴とする請求項１に記載の生体情報計測装置。
【請求項３】
報知部を備え、
前記実行部は、前記電源部の電圧を検出した結果を前記報知部に報知させる
ことを特徴とする請求項２に記載の生体情報計測装置。
【請求項４】
他の装置へデータを送信する送信部を備え、
前記実行部は、前記生体情報の正常値と異なる値で、前記電源部の電圧を検出した結果を前記送信部から他の装置へ送信する
ことを特徴とする請求項２に記載の生体情報計測装置。
【請求項５】
前記実行部は、前記一対の電極の間に生じる電位差が所定のパターンと合致する場合に、前記電源部の電圧を検出する
ことを特徴とする請求項２に記載の生体情報計測装置。
【発明の詳細な説明】
【技術分野】
【０００１】
本発明は、生体情報計測装置に関する。
【背景技術】
【０００２】
生体情報を計測して受信装置に伝送する生体情報計測システムが知られている。また、生体情報を計測する生体情報計測装置が自装置の電池電圧を検出して表示する技術が知られている（例えば、特許文献１〜３参照）。また、生体情報計測装置が検出した電池電圧を受信装置に送信し、受信装置が生体情報計測装置の電池電圧を表示する技術が知られている（例えば、特許文献４〜６参照）。
【先行技術文献】
【特許文献】
【０００３】
【特許文献１】特開平０１−２９１８２９号公報
【特許文献２】特開平０１−２９１８２８号公報
【特許文献３】特開２００１−１８５２３８号公報
【特許文献４】実開平０１−１１７３１０号公報
【特許文献５】特開２００４−２７５２７２号公報
【特許文献６】特開２００４−２３０１５２号公報
【発明の概要】
【発明が解決しようとする課題】
【０００４】
しかしながら、特許文献１〜６に記載の方法では、電池電圧検出のタイミングや構成等について考慮されていない。例えば、常時電池電圧を検出して表示すると、その分電力を消費してしまう。また、電池電圧検出のタイミングを指示するための物理的なスイッチ等を生体情報計測装置に設けると防水性が課題となる。
【０００５】
そこで、本発明は上述の事情を鑑みてなされたものであり、物理的なスイッチを備えることなく入力を受け付けることができる生体情報計測装置を提供することを目的とする。
【課題を解決するための手段】
【０００６】
本発明の幾つかの態様は、一対の電極の間に生じる電位差に基づいて、生体情報を検出する生体情報検出部と、前記一対の電極の間に生じる電位差に基づいて所定の処理を実行する実行部と、を備えることを特徴とする生体情報計測装置である。
【０００７】
また、本発明の他の態様の生体情報計測装置は電源部を備え、前記実行部は、前記一対の電極の間に生じる電位差に基づいて前記電源部の電圧を検出して出力することを特徴とする。
【０００８】
また、本発明の他の態様の生体情報計測装置は報知部を備え、前記実行部は、前記電源部の電圧を検出した結果を前記報知部に報知させることを特徴とする。
【０００９】
また、本発明の他の態様の生体情報計測装置は他の装置へデータを送信する通信部を備え、前記実行部は、前記生体情報の正常値と異なる値で、前記電源部の電圧を検出した結果を前記送信部から他の装置へ送信することを特徴とする。
【００１０】
また、本発明の他の態様の生体情報計測装置において、前記実行部は、前記一対の電極の間に生じる電位差が所定のパターンと合致する場合に、前記電源部の電圧を検出することを特徴とする。
【発明の効果】
【００１１】
本発明によれば、生体情報検出部は、一対の電極の間に生じる電位差に基づいて、生体情報を検出する。また、実行部は、一対の電極の間に生じる電位差に基づいて所定の処理を実行する。これにより、物理的なスイッチを備えることなく入力を受け付けることができる。
【図面の簡単な説明】
【００１２】
【図１】本発明の第１の実施形態おける心拍計測システムの構成を示すブロック図である。
【図２】本発明の第１の実施形態における心拍計測装置の外観を示す図である。
【図３】本発明の第１の実施形態における心拍計測装置の背面図である。
【図４】本発明の第１の実施形態における表示装置の外観を示す図である。
【図５】本発明の第１の実施形態における導通検出回路、心拍検出回路の構成例を説明する概略回路図である。
【図６】本発明の第１の実施形態における心拍計測装置の動作手順を示したフローチャートである。
【図７】本発明の第２の実施形態における心拍計測装置の動作手順を示したフローチャートである。
【図８】本発明の第２の実施形態における表示装置の動作手順を示したフローチャートである。
【図９】本発明の第３の実施形態における心拍計測装置の動作手順を示したフローチャートである。
【発明を実施するための形態】
【００１３】
（第１の実施形態）
以下、本発明の第１の実施形態について図面を参照しながら説明する。また、以下の例では、生体情報計測装置の一例として、心拍計測システムを例に説明する。図１は、本実施形態おける心拍計測システム１の構成を示すブロック図である。心拍計測システム１は、心拍計測装置１００、及び表示装置２００を備えている。心拍計測装置１００は、利用者の胸部にベルトによって装着され、一対の電極を身体の胸部（生体表面）に接触させることにより、心臓の鼓動に伴って発生する心電信号を検出し、検出した心電信号に基づいて心拍数を算出する。
【００１４】
心拍計測装置１００は、電源部１１０、計測部１２０、送信回路１３０、アンテナ１４０、及び報知部１５０を備える。電源部１１０は、例えばボタン型電池等を備え、心拍計測装置１００が備える各部に電力を供給する。計測部１２０は、電極１２１、電極１２２、導通検出回路１２３、心拍検出回路（生体情報検出部）１２４、及び制御部１２５を備える。計測部１２０は、一定時間毎に利用者の心拍数を計測し、計測した心拍数を出力する。電極１２１と電極１２２とは、一対の電極であり、心臓の鼓動に伴って発生する心電信号を検出する。
【００１５】
利用者が心拍計測装置１００を胸部に装着した場合や、利用者が手で電極１２１と電極１２２とを握った場合には、電極１２１と電極１２２との間に皮膚抵抗ＲＨが形成され、この皮膚抵抗ＲＨに応じた電流が両電極間に流れる。以下、利用者が心拍計測装置１００を胸部に装着した場合や、利用者が手で電極１２１と電極１２２とを握った場合とを心拍計測装置１００の装着状態とする。
【００１６】
導通検出回路１２３は、両電極間に流れる電流に基づく電圧（電極１２１と電極１２２との間に生じる電位差）に基づいて、両極電間が導通したことを検出し、検出した結果を示す導通検出信号を制御部１２５に出力する。心拍検出回路１２４は、電極１２１と電極１２２とが検出した心電信号を増幅し、増幅した心電信号を心拍検出信号として制御部１２５に出力する。すなわち、心拍検出回路１２４は、電極１２１と電極１２２との間に生じる電位差に基づいて、生体情報を検出する。
【００１７】
制御部１２５は、心拍計測装置１００が備える各部を制御する。また、制御部１２５は、心拍検出回路１２４から出力される心電信号のパルス間隔に応じて心拍数を算出する。ここで、心電信号のパルス間隔とは、例えば心電信号のピーク間の間隔である。制御部１２５は、導通検出信号が入力されるまで、導通検出回路１２３にローレベルの電圧ＶLの切替信号を出力する。制御部１２５は、導通検出回路１２３から入力された導通検出信号に基づいて、心拍計測装置１００が装着状態であるか否かを判別する。心拍計測装置１００が装着状態であると判別されたとき、制御部１２５は、切替信号をローレベルの電圧ＶLからハイレベルの電圧ＶHに切り替える。制御部１２５は、心拍計測装置１００が装着状態であると判定されたとき、算出した心拍数を示す情報を計測結果としてアンテナ１４０を介して表示装置２００に送信する。
【００１８】
制御部１２５は、心拍検出回路１２４から入力された心拍検出信号に基づいて、心拍計測装置１００が装着状態であるか非装着状態であるかを判別する。制御部１２５は、心拍計測装置１００が非装着状態であると判別した後、切替信号を、ハイレベルの電圧ＶHからローレベルの電圧ＶLに切り替える。なお、電圧ＶHは、電源電圧ＶＤＤが３［Ｖ］の場合、例えば２［Ｖ］〜３［Ｖ］の範囲の電圧である。電圧ＶLは、電源電圧ＶＤＤが３［Ｖ］の場合、例えば０［Ｖ］〜１［Ｖ］の範囲の電圧である。
【００１９】
制御部１２５（実行部）は、電極１２１と電極１２２との間に生じる電位差に基づいて、所定の処理を実行する。具体的には、制御部１２５は、導通検出回路１２３から導通検出信号が入力されると、電源部１１０の電源電圧ＶＤＤを検出する。また、制御部１２５は、電源電圧ＶＤＤを検出した結果を報知部１５０に報知（出力）させる。
【００２０】
送信回路１３０（送信部）は、アンテナ１４０を介して他の装置（本実施形態では、表示装置２００）へデータを送信する。報知部１５０は、ブザー音を出力するブザー１５１及びＬＥＤ（Ｌｉｇｈｔ  Ｅｍｉｔｔｉｎｇ  Ｄｉｏｄｅ）等のライト１５２を備え、電源電圧ＶＤＤに関する情報を報知（出力）する。
【００２１】
表示装置２００は、電源部２１０、アンテナ２２０、受信回路２３０、制御部２４０、表示部２５０、入力部２６０、報知部２７０、照明部２８０、及び装着部２９０を備える。電源部２１０は、表示装置２００が備える各部（除く装着部２９０）に電力を供給する。受信回路２３０は、心拍計測装置１００から送信される心拍数を示す情報を、アンテナ２２０を介して受信し、受信した心拍数を示す情報を制御部２４０に出力する。
【００２２】
制御部２４０は、表示装置２００が備える各部を制御する。また、制御部２４０は、心拍計測装置１００から受信した情報に基づいて、心拍数を表示部２５０に表示する。表示部２５０は、情報を表示するディスプレイである。表示部２５０は、一例として液晶表示装置（ＬＣＤ（Ｌｉｑｕｉｄ  Ｃｒｙｓｔａｌ  Ｄｉｓｐｌａｙ））によって構成される。表示部２５０には、心拍数の表示以外に、例えば時刻が表示される。入力部２６０は、利用者からの操作入力を検出し、検出した結果に基づく情報を制御部２４０に出力する。
【００２３】
報知部２７０は、音を出力するスピーカである。例えば、報知部２７０は、利用者からの操作入力を検出する毎に音を出力するようにしてもよい。照明部２８０は、暗い場所等においても表示部２５０を利用者が視認できるように、入力部２６０が検出した結果に応じて、表示部２５０に光を照射する。装着部２９０は、表示装置２００を利用者の腕に装着するものであり、例えばベルトである。
【００２４】
図２は、本実施形態における心拍計測装置１００の外観を示す図である。本図に示すように、心拍計測装置１００は、利用者の胸部の全周に亘って装着されるように略環状に形成されている。なお、以下では、使用者が心拍計測装置１００を装着した状態で使用者に接する側を背面側とし、背面側とは反対側であって外方に向く側の面を正面側として説明する。また、以下の説明では、使用者の胸部の周方向に沿う方向を、単に胸部の周方向ということがある。
【００２５】
本図に示すように、心拍計測装置１００は、装置本体２と、装置本体２を一体的に被覆する本体ベルト４と、装置本体２を使用者に装着するための固定バンド２０とを備えている。装置本体２の正面側には、電池残量を報知するライト１５２が設けられている。
【００２６】
図３は、本実施形態における心拍計測装置１００の背面図である。なお、本図においては、固定バンド２０の図示を省略している。本図に示すように、一対の電極１２１，１２２は、それぞれ装置本体２における胸部の周方向の両側端部に接続されている。一対の電極１２１，１２２は、それぞれ例えば帯状の導電エラストマーにより形成されており、胸部の周方向の一端部がそれぞれ装置本体２内の不図示の回路基板に電気的に接続されている。なお、導電エラストマーとしては、例えば、カーボンブラックを配合した導電シリコーンゴムやカーボンブラックを配合した導電ゴム、カーボンブラックを配合した導電ポリウレタンゴム等を用いることができる。
【００２７】
上述のように構成された装置本体２を一体的に被覆する本体ベルト４は、例えば、ウレタンゴム等により、胸部の周方向に沿うように帯状に形成されており、例えば全長が２６０ｍｍ程度に形成されている。本体ベルト４は、装置本体２の背面側の縁部および一対の電極１２１，１２２の縁部を被覆するように形成されている。本体ベルト４の両端部には、それぞれ固定バンド取付部９ａ，９ｂが形成されている。固定バンド取付部９ａ，９ｂは、例えば本体ベルト４の厚さ方向に貫通する貫通孔により形成されている。
【００２８】
図４は、本実施形態における表示装置２００の外観を示す図である。本図に示すように、表示装置２００は、例えば腕時計型のものであって、利用者の手首（腕）に装着部２９０によって装着される。また、図示するように、表示装置２００は表示部２５０と入力部２６０とを備えている。
【００２９】
図５は、本実施形態における導通検出回路１２３、心拍検出回路１２４の構成例を説明する概略回路図である。本図に示すように、導通検出回路１２３は、抵抗Ｒ２、抵抗Ｒ３、スイッチ（切替部）ＳＷ１、及びインバータ回路Ｔ１を備えている。心拍検出回路１２４は、コンデンサＣ１、コンデンサＣ２、抵抗Ｒ４、抵抗Ｒ５、抵抗Ｒ６、及びトランジスタＴ２を備えている。また、抵抗Ｒ１は、一方端が電極１２１に接続され、他方端が導通検出回路１２３の入力端と心拍検出回路１２４の入力端とに接続されている。また、図５において、ＶＤＤは電源電圧を示し、ＶＳＳは、０Ｖを示す。
【００３０】
まず、導通検出回路１２３の構成について説明する。スイッチＳＷ１は、入力端ａが抵抗Ｒ３の一方端に接続され、入力端ｂが電極１２２に接続され且つ接地され、出力端ｃが抵抗Ｒ２の一方端に接続され、制御端ｄが制御部１２５に接続されている。制御部１２５からスイッチＳＷ１の制御端ｄに出力されている信号は、切替信号である。抵抗Ｒ２は、他方端が抵抗Ｒ１の他方端と、インバータ回路Ｔ１の入力端と、心拍検出回路１２４のコンデンサＣ１の一方端とに接続されている。なお、抵抗Ｒ１の他方端と抵抗Ｒ２の他方端とインバータ回路Ｔ１の入力端との交点をＡ点とする。抵抗Ｒ３は、他方端が電源電圧に接続されている。インバータ回路Ｔ１は、出力端子が心拍検出回路１２４の抵抗Ｒ５の一方端と、制御部１２５とに接続されている。また、インバータ回路Ｔ１の出力信号は、導通検出信号である。
【００３１】
次に、心拍検出回路１２４の構成について説明する。図５には心拍検出回路１２４の初段増幅回路のみが記載されており、後段のフィルタ回路と波形整形回路は省略している。コンデンサＣ１は、他方端が抵抗Ｒ４の一方端と、トランジスタＴ２のベースとに接続されている。抵抗Ｒ４は、他方端がトランジスタＴ２のコレクタと、抵抗Ｒ５の他方端と、コンデンサＣ２の一方端とに接続されている、トランジスタＴ２は、エミッタが抵抗Ｒ６の一方端に接続されている。トランジスタＴ２は、ＮＰＮ型トランジスタである。抵抗Ｒ６は、他方端が接地されている。コンデンサＣ２は、他方端が後段のフィルタ回路（図示せず）と接続される。フィルタ回路の後段に接続される波形整形回路（図示せず）の出力が制御部１２５に接続されている。波形整形回路から制御部１２５に出力される信号は、心拍検出信号（生体情報検出信号）である。
【００３２】
ここで、切替信号とスイッチＳＷ１の動作について説明する。スイッチＳＷ１は、切替信号がローレベルの電圧ＶLのとき、入力端ａと出力端ｃとが接続されるように切り替える。スイッチＳＷ１は、切替信号がハイレベルの電圧ＶHのとき、入力端ｂと出力端ｃとが接続されるように切り替える。このため、非装着時において切替信号がローレベルの電圧ＶLのとき、抵抗Ｒ２の一方端は、スイッチＳＷ１及び抵抗Ｒ３を介してプルアップ接続される。装着時において切替信号がハイレベルの電圧ＶHのとき、抵抗Ｒ２の一方端は、スイッチＳＷ１を介してプルダウン接続される。
【００３３】
ここで、心拍検出回路１２４に供給される電力について説明する。上述したように、心拍検出回路１２４の電源は、導通検出回路１２３が検出した結果を示す導通検出信号ラインと接続されている。また、心拍計測装置１００が装着状態の場合、導通検出信号の信号レベルはハイレベルである。この構成により、装着時、心拍検出回路１２４の電源にはハイレベルの電力が供給され、非装着時、心拍検出回路１２４の電源にはローレベルの電力が供給される。
【００３４】
次に、心拍計測装置１００の動作手順について説明する。図６は、本実施形態における心拍計測装置１００の動作手順を示したフローチャートである。本実施形態における心拍計測装置１００は、以下のフローチャート処理を定期的に実行するようになっている。
【００３５】
（ステップＳ１０１）導通検出回路１２３が導通を検出した場合にはステップＳ１０２の処理に進む。また、導通検出回路１２３が導通を検出していない場合にはステップＳ１０１の処理を繰り返す。
【００３６】
（ステップＳ１０２）制御部１２５は、電源部１１０の電源電圧ＶＤＤを検出する。その後、ステップＳ１０３の処理に進む。
（ステップＳ１０３）制御部１２５は、電源電圧ＶＤＤが所定の閾値Ｔ１以上であるか否かを判定する。電源電圧ＶＤＤが閾値Ｔ１以上であると制御部１２５が判定した場合にはステップＳ１０４の処理に進む。また、電源電圧ＶＤＤが閾値Ｔ１未満であると判定した場合にはステップＳ１０５の処理に進む。
【００３７】
（ステップＳ１０４）制御部１２５は、電池残量が十分であることを報知部１５０に報知させる。具体的には、制御部１２５は、ライト１５２を点灯させるとともに、ブザー１５１に単音を１回出力させる。その後、処理を終了する。
【００３８】
（ステップＳ１０５）制御部１２５は、電源電圧ＶＤＤが所定の閾値Ｔ２以上閾値Ｔ１未満であるか否かを判定する。閾値Ｔ２は、閾値Ｔ１より小さい値である。電源電圧ＶＤＤが閾値Ｔ２以上Ｔ１未満であると制御部１２５が判定した場合にはステップＳ１０６の処理に進む。また、電源電圧ＶＤＤが閾値Ｔ２未満であると制御部１２５が判定した場合にはステップＳ１０７の処理に進む。
（ステップＳ１０６）制御部１２５は、電池残量がやや少（使用可能）であることを報知部１５０に報知させる。具体的には、制御部１２５は、ライト１５２に遅い点滅をさせるとともに、ブザー１５１に単音を複数回出力させる。その後、処理を終了する。
【００３９】
（ステップＳ１０７）制御部１２５は、電源電圧ＶＤＤが所定の閾値Ｔ３以上閾値Ｔ２未満であるか否かを判定する。閾値Ｔ３は、閾値Ｔ２より小さい値である。電源電圧ＶＤＤが閾値Ｔ３以上閾値Ｔ２未満であると制御部１２５が判定した場合にはステップＳ１０８の処理に進む。また、電源電圧ＶＤＤが閾値Ｔ３未満であると制御部１２５が判定した場合にはステップＳ１０９の処理に進む。
【００４０】
（ステップＳ１０８）制御部１２５は、電池残量が少（要充電）であることを報知部１５０に報知させる。具体的には、制御部１２５は、ライト１５２に早い点滅をさせるとともに、ブザー１５１に複数音を複数回出力させる。その後、処理を終了する。
（ステップＳ１０９）制御部１２５は、電池残量が極小（使用不可）であることを報知部１５０に報知させる。具体的には、制御部１２５は、ライト１５２を消灯する。このとき、制御部１２５は、ブザー１５１にブザー音を出力させない、あるは、ブザー１５１に警告音を出力させる。その後、処理を終了する。
【００４１】
上述したとおり、本実施形態によれば、導通検出回路１２３は、電極１２１と電極１２２との間に流れる電流に基づく電圧により、導通を検出する。また、制御部１２５は、導通検出回路１２３が導通を検出すると、電源部１１０の電源電圧ＶＤＤを検出して電池残量を報知部１５０に報知させる。これにより、利用者が心拍計測装置１００を胸に装着したとき、或は、手等で電極１２１及び電極１２２を握ったときなど、装着状態時にのみ電源電圧ＶＤＤを報知することができる。よって、定期的に電圧検出する必要がなくなるため、検出動作の制御が簡単になり、検出時の電流消費も削減することができる。
【００４２】
また、電極１２１及び電極１２２の導通検出時に電池残量を報知するため、物理的なスイッチ等を設けることなく電池残量を確認することができる。すなわち、物理的なスイッチを設けることなく、心拍計測装置１００に対する操作をすることができる。よって、心拍計測装置１００の構成要素を増やす必要がないため、防水性を向上させることができる。
【００４３】
また、心拍計測装置１００は、ブザー１５１やライト１５２により電池残量を報知するため、心拍計測装置１００単体で電池残量を報知することができる。なお、電池残量の報知は、ブザー１５１とライト１５２との両方で報知してもよく、いずれか一方のみで報知してもよい。
【００４４】
（第２の実施形態）
次に、本発明の第２の実施形態について説明する。本実施形態における心拍計測システム１の構成は、第１の実施形態における心拍計測システム１の構成と同様である。本実施形態と第１の実施形態とで異なる点は、本実施形態では、心拍計測装置１００は、検出した電源電圧ＶＤＤを示す情報を表示装置２００に送信する点である。また、本実施形態では、表示装置２００は、受信した電源電圧ＶＤＤを示す情報に基づいて、心拍計測装置１００の電池残量を表示する点である。
【００４５】
制御部１２５は、電源電圧ＶＤＤを検出すると、心拍数の正常値と異なる値で、検出した電源電圧ＶＤＤを示す情報（電源電圧ＶＤＤを検出した結果）を、送信回路１３０及びアンテナ１４０を介して表示装置２００に送信する。具体的には、制御部１２５は、電源電圧ＶＤＤのレベルに応じて、心拍数の正常範囲と異なる値ａ１〜ａ４に電源電圧ＶＤＤを変換して表示装置２００に送信する。ａ１〜ａ４は、心拍数として正常となる値より大きい値（異常値）である。例えば、制御部１２５は、電源電圧ＶＤＤが閾値Ｔ１以上である場合には、ａ１（例えば、６００）を示す情報を表示装置２００に送信する。また、制御部１２５は、電源電圧ＶＤＤが閾値Ｔ２以上閾値Ｔ１未満である場合には、ａ２（例えば、５００）を示す情報を表示装置２００に送信する。また、制御部１２５は、電源電圧ＶＤＤが閾値Ｔ３以上閾値Ｔ２未満である場合には、ａ３（例えば、４００）を示す情報を表示装置２００に送信する。また、制御部１２５は、電源電圧ＶＤＤが閾値Ｔ３未満である場合には、ａ４（例えば、３００）を示す情報を表示装置２００に送信する。心拍計測装置１００の他の構成及び制御部１２５の他の機能は第１の実施形態と同様である。
【００４６】
制御部２４０は、心拍計測装置１００から受信した情報が心拍数を示す情報であるか電源電圧ＶＤＤを示す情報であるかを判定する。具体的には、制御部２４０は、受信した情報の示す値が閾値ａ４以上である場合には電源電圧ＶＤＤを示す情報であると判定し、受信した情報の示す値が閾値ａ４より小さい場合には心拍数を示す情報であると判定する。制御部２４０は、受信した情報が心拍数を示す情報であると判定した場合には、心拍数を表示部２５０に表示する。
【００４７】
また、制御部２４０は、受信した情報が電源電圧ＶＤＤを示す情報であると判定した場合には、電源電圧ＶＤＤに関する表示を表示部２５０に表示する。具体的には、制御部２４０は、受信した情報の値がａ１である場合には、電池残量が十分であることを表示部２５０に表示する。また、制御部２４０は、受信した情報の値がａ２である場合には、電池残量がやや少（使用可能）であることを表示部２５０に表示する。また、制御部２４０は、受信した情報の値がａ３である場合には、電池残量が少（要充電）であることを表示部２５０に表示する。また、制御部２４０は、受信した情報の値がａ４である場合には、電池残量が極小（使用不可）であることを表示部２５０に表示する。表示装置２００の他の構成及び制御部２４０の他の機能は第１の実施形態と同様である。
【００４８】
次に、心拍計測装置１００の動作手順について説明する。図７は、本実施形態における心拍計測装置１００の動作手順を示したフローチャートである。本実施形態における心拍計測装置１００は、以下のフローチャート処理を定期的に実行するようになっている。
【００４９】
ステップＳ２０１〜ステップＳ２０４の処理は、第１の実施形態におけるステップＳ１０１〜Ｓ１０４の処理と同様である。
（ステップＳ２０５）制御部１２５は、ａ１を示す情報を送信回路１３０とアンテナ１４０とを介して表示装置２００に送信する。その後、処理を終了する。
【００５０】
ステップＳ２０６〜ステップＳ２０７の処理は、第１の実施形態におけるステップＳ１０５〜Ｓ１０６の処理と同様である。
（ステップＳ２０８）制御部１２５は、ａ２を示す情報を送信回路１３０とアンテナ１４０とを介して表示装置２００に送信する。その後、処理を終了する。
【００５１】
ステップＳ２０９〜ステップＳ２１０の処理は、第１の実施形態におけるステップＳ１０７〜Ｓ１０８の処理と同様である。
（ステップＳ２１１）制御部１２５は、ａ３を示す情報を送信回路１３０とアンテナ１４０とを介して表示装置２００に送信する。その後、処理を終了する。
【００５２】
ステップＳ２１２の処理は、第１の実施形態におけるステップＳ１０９の処理と同様である。
（ステップＳ２１３）制御部１２５は、ａ４を示す情報を送信回路１３０とアンテナ１４０とを介して表示装置２００に送信する。その後、処理を終了する。
【００５３】
次に、表示装置２００の動作手順について説明する。図８は、本実施形態における表示装置２００の動作手順を示したフローチャートである。本実施形態における表示装置２００は、以下のフローチャート処理を定期的に実行するようになっている。
【００５４】
（ステップＳ３０１）制御部２４０は、アンテナ２２０と受信回路２３０とを介して、心拍計測装置１００から情報を受信したか否かを判定する。心拍計測装置１００から情報を受信したと制御部２４０が判定した場合にはステップＳ３０２の処理に進む。また、心拍計測装置１００から情報を受信していないと制御部２４０が判定した場合にはステップＳ３０１の処理を繰り返す。
【００５５】
（ステップＳ３０２）制御部２４０は、受信した情報が心拍数を示す情報であるか否かを判定する。具体的には、制御部２４０は、受信した情報の示す値が閾値ａ４未満である場合に心拍数を示す情報であると判定し、受信した情報の示す値が閾値ａ４以上である場合に電源電圧ＶＤＤを示す情報であると判定する。受信した情報が心拍数を示す情報であると制御部２４０が判定した場合には、ステップＳ３０３の処理に進む。また、受信した情報が心拍数を示す情報でないと制御部２４０が判定した場合には、ステップＳ３０４の処理に進む。
（ステップＳ３０３）制御部２４０は、受信した情報に基づいて、心拍数を表示部２５０に表示する。その後、処理を終了する。
【００５６】
（ステップＳ３０４）制御部２４０は、受信した情報がａ１を示す情報であるか否かを判定する。受信した情報がａ１を示す情報であると制御部２４０が判定した場合には、ステップＳ３０５の処理に進む。また、受信した情報がａ１を示す情報でないと制御部２４０が判定した場合には、ステップＳ３０６の処理に進む。
（ステップＳ３０５）制御部２４０は、心拍計測装置１００の電池残量が十分であることを表示部２５０に表示する。その後、処理を終了する。
【００５７】
（ステップＳ３０６）制御部２４０は、受信した情報がａ２を示す情報であるか否かを判定する。受信した情報がａ２を示す情報であると制御部２４０が判定した場合には、ステップＳ３０７の処理に進む。また、受信した情報がａ２を示す情報でないと制御部２４０が判定した場合には、ステップＳ３０８の処理に進む。
（ステップＳ３０７）制御部２４０は、心拍計測装置１００の電池残量がやや少（使用可能）であることを表示部２５０に表示する。その後、処理を終了する。
【００５８】
（ステップＳ３０８）制御部２４０は、受信した情報がａ３を示す情報であるか否かを判定する。受信した情報がａ３を示す情報であると制御部２４０が判定した場合には、ステップＳ３０９の処理に進む。また、受信した情報がａ３を示す情報でないと制御部２４０が判定した場合には、ステップＳ３１０の処理に進む。
（ステップＳ３０９）制御部２４０は、心拍計測装置１００の電池残量がやや少（要充電）であることを表示部２５０に表示する。その後、処理を終了する。
【００５９】
（ステップＳ３１０）制御部２４０は、受信した情報がａ４を示す情報であるか否かを判定する。受信した情報がａ４を示す情報であると制御部２４０が判定した場合には、ステップＳ３１１の処理に進む。また、受信した情報がａ４を示す情報でないと制御部２４０が判定した場合には、処理を終了する。
（ステップＳ３１１）制御部２４０は、心拍計測装置１００の電池残量が極小（使用不可）であることを表示部２５０に表示する。その後、処理を終了する。
【００６０】
なお、本実施形態では、電源電圧ＶＤＤを示す値をａ１〜ａ４としたが、これに限らず、ＲＲ間隔（心拍間隔）大・小の組み合わせパターンを電源電圧ＶＤＤを示す値とする等、電源電圧ＶＤＤを示す値は、心拍数と区別できる値であればよい。
【００６１】
上述したとおり、本実施形態によれば、心拍計測装置１００の制御部１２５は、電源電圧ＶＤＤを示す情報を表示装置２００に送信する。表示装置２００の制御部２４０は、心拍計測装置１００から受信した電源電圧ＶＤＤを示す情報に基づいて、心拍計測装置１００の電池残量を表示部２５０に表示する。これにより、本実施形態によれば、第１の実施形態の効果に加えて、表示装置２００で心拍計測装置１００の電池残量を報知することができる。
【００６２】
（第３の実施形態）
次に、本発明の第３の実施形態について説明する。本実施形態における心拍計測システム１の構成は、第１の実施形態における心拍計測システムの構成と同様である。本実施形態と第１の実施形態とで異なる点は、本実施形態では、制御部１２５は、導通検出回路１２３から入力された導通検出信号（電極１２１と電極１２２との間に生じる電位差）が所定のパターンに合致する場合に電源電圧ＶＤＤを検出する点である。
【００６３】
所定のパターンは、例えば、電極１２１及び電極１２２を使用者が同時に３回握ったときに、導通検出回路１２３から入力される導通検出信号のパターンである。これにより、使用者は、電極１２１及び電極１２２を同時に３回握るという操作をすることにより、電池残量の報知を指示することができる。なお、所定のパターンは、電極１２１及び電極１２２を使用者が同時に３回握るパターンに限らず、３回未満の回数を握るパターンでもよく、４回以上の回数を握るパターンでもよい。
【００６４】
次に、心拍計測装置１００の動作手順について説明する。図９は、本実施形態における心拍計測装置１００の動作手順を示したフローチャートである。本実施形態における心拍計測装置１００は、以下のフローチャート処理を定期的に実行するようになっている。
【００６５】
（ステップＳ４０１）導通検出回路１２３が導通を検出した場合にはステップＳ４０２の処理に進む。また、導通検出回路１２３が導通を検出していない場合にはステップＳ４０１の処理を繰り返す。
【００６６】
（ステップＳ４０２）制御部１２５は、導通検出回路１２３から入力された導通検出信号のパターンが、所定のパターンと合致するか否かを判定する。所定のパターンと合致すると制御部１２５が判定した場合にはステップＳ４０３の処理に進む。また、所定のパターンと合致しないと制御部１２５が判定した場合にはステップＳ４０１の処理に戻る。
ステップＳ４０３〜ステップＳ４１０の処理は、第１の実施形態におけるステップＳ１０２〜Ｓ１０９の処理と同様である。
【００６７】
上述したとおり、本実施形態によれば、制御部１２５は、導通検出回路１２３から入力された導通検出信号のパターンが所定のパターンと合致する場合にのみ、電源部１１０の電源電圧ＶＤＤを検出して電池残量を報知部１５０に報知させる。よって、本実施形態によれば、第１の実施形態の効果に加えて、利用者が心拍計測装置１００を胸に装着して表示装置２００側で表示を確認しなくても、ストラップの両側の電極１２１と電極１２２とを手で握るだけで簡単に電池残量を確認することができる。
【００６８】
なお、上述した実施形態における心拍計測装置１００および表示装置２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部を含むが、必ずしもこれらに限定されるものではない。さらに「コンピュータ読み取り可能な記録媒体」に代え、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７０】
以上、本発明の第１の実施形態、第２の実施形態および第３の実施形態について説明したが、本発明は、上記の実施形態に限定されるものではなく、本発明の趣旨を逸脱しない範囲において種々の変更を加えることが可能である。
【００７１】
例えば、上述した実施形態では、生体情報として心拍数を検出する例を説明したが、これに限られない。心拍計測装置１００が検出する生体情報は、電極を用いて検出するものであればよく、例えば、脳波等であってもよい。
【００７２】
また、上述した実施形態では、電極１２１及び電極１２２に対する操作に応じて実行する処理を、電源電圧ＶＤＤを検出して電池残量を報知する処理としたが、これに限らず、他の処理を実行してもよい。例えば、心拍計測装置１００は、計測した心拍数を蓄積し、電極１２１及び電極１２２が所定回数握られたことを検出すると、表示装置２００との通信を開始して蓄積した心拍数を示す情報を表示装置２００に送信してもよい。
【００７３】
また、図５に示した導通検出回路１２３と心拍検出回路１２４の構成は一例であり、例えば、心拍検出回路１２４は、ノイズ除去回路等を介して心拍検出信号を制御部１２５に出力するようにしてもよい。また、導通検出回路１２３は、インバータ回路Ｔ１を介して導通検出信号を出力する例を説明したが、インバータ回路Ｔ１の後段にさらに第２のインバータ回路を介して、導通検出信号を制御部１２５に出力するようにしてもよい。この場合、抵抗Ｒ５の一端には、インバータ回路Ｔ１の出力と第２のインバータ回路の入力端との交点の信号が接続されるようにしてもよい。
【符号の説明】
【００７４】
１  心拍計測システム
２  装置本体
４  本体ベルト
９ａ，９ｂ  固定バンド取付部
２０  固定バンド
１００  心拍計測装置
１１０，２１０  電源部
１２０  計測部
１２１，１２２  電極
１２３  導通検出回路
１２４  心拍検出回路
１２５，２４０  制御部
１３０  送信回路
１４０，２２０  アンテナ
１５０  報知部
１５１  ブザー
１５２  ライト
２００  表示装置
２３０  受信回路
２５０  表示部
２６０  入力部
２７０  報知部
２８０  照明部
２９０  装着部
【図１】
2015208478.tif 000003
【図２】
2015208478.tif 000004
【図３】
2015208478.tif 000005
【図４】
2015208478.tif 000006
【図５】
2015208478.tif 000007
【図６】
2015208478.tif 000008
【図７】
2015208478.tif 000009
【図８】
2015208478.tif 000010
【図９】
2015208478.tif 000011